(57)【特許請求の範囲】
【請求項１】
机の天板に開口部を設けるとともに、前記机の開口部の後部に枢着され、かつ前記開口部を開閉可能な天蓋と、該天板の下方に格納された格納位置と前記開口部に臨む上昇位置とに移動可能な昇降台を備えた機器格納式机における天蓋の開閉装置であって、
前記机における天蓋の下方位置に枢着され、かつ、前記昇降台が格納位置から上昇するとき、前記昇降台の後部上面に押し上げられて上向きに回動させられるようにした上側アーム部を有する回動リンクと、
前記天蓋の下部と回動リンクとを互いに連動するように連結し、かつ前記回動リンクの上側アーム部が上方に移動することにより、前記天蓋を開く方向に移動させるようにした、ほぼ上下方向を向く連結リンクとを備えることを特徴とする機器格納式机における天蓋の開閉装置。
【請求項２】
昇降台の後部に、連結リンクの前縁に摺接することにより、回動リンクの上側アーム部の下向き回動を阻止する押さえ部を設けた請求項１記載の機器格納式机における天蓋の開閉装置。
【請求項３】
回動リンクに、昇降台の格納位置への下降時に、昇降台の後部下面に当接して、前記回動リンクを下向き回動させるようにした下側アーム部を設けた請求項１または２記載の機器格納式机における天蓋の開閉装置。
【請求項４】
昇降台の押さえ部に、耐摩耗性に優れ、かつ摺動抵抗の小さい保護材を設けた請求項１〜３のいずれかに記載の機器格納式机における天蓋の開閉装置。
【発明の詳細な説明】
【０００１】
【発明の属する技術分野】
本発明は、パソコンのディスプレイ等の機器を机の天板の下に格納できるようにした機器格納式机における天蓋の開閉装置に関する。
【０００２】
【従来の技術】
この種の従来のものとしては、例えば、図８に示すように、机(101)の天板(102)に、矩形の開口部(103)を設けるとともに、開口部(103)の後部に開閉可能な天蓋(104)を枢着し、さらに、天板(102)の下方に設置したモータ等を駆動源にした昇降手段(図示略)に連結されて、想像線で示す格納位置と実線で示す上昇位置とに移動可能な昇降台(105)を設け、この昇降台(105)には、パソコンのディスプレイ等の機器(Ａ)が設置されるとともに、上方に突出して天蓋(104)の下面に当接可能な押上げ部材(106)が設けられている。
【０００３】
押上げ部材(106)は、昇降台(105)の上昇に連動して、上端部(106a)が天蓋(104)の下面を押し上げることにより、天蓋(104)を開くようになっている。
【０００４】
【発明が解決しようとする課題】
しかし、上述の従来のものにおいては、昇降台(105)が上昇位置にあるとき、押上げ部材(106)等の部品が天板(102)上に露呈するため、下記のような問題がある。(a)押上げ部材(106)が邪魔になり、ディスプレイ等の機器(Ａ)の設置場所が制約を受ける。
(b)突起感があって見栄えが悪い。
(c)配線コード等が押上げ部材(106)に引っ掛かっり、押上げ部材(106)を破損させるおそれがある。
(d)天蓋(104)の開き動作中に、天蓋(104)の下面と押上げ部材(106)とが擦れるため、塗装面が傷付くおそれがある。
【０００５】
本発明は、従来の技術が有する上記のような問題点に鑑み、昇降台が上昇位置にあるとき、天板の上面に部品が露呈することがないようにして、従来の技術が有している上記のような全ての問題を解消した機器格納式机における天蓋の開閉装置を提供することを目的としている。
【０００６】
【課題を解決するための手段】
本発明によると、上記課題は、次のようにして解決される。
(１)  机の天板に開口部を設けるとともに、前記机の開口部の後部に枢着され、かつ前記開口部を開閉可能な天蓋と、該天板の下方に格納された格納位置と前記開口部に臨む上昇位置とに移動可能な昇降台を備えた機器格納式机における天蓋の開閉装置であって、前記机における天蓋の下方位置に枢着され、かつ、前記昇降台が格納位置から上昇するとき、前記昇降台の後部上面に押し上げられて上向きに回動させられるようにした上側アーム部を有する回動リンクと、前記天蓋の下部と回動リンクとを互いに連動するように連結し、かつ前記回動リンクの上側アーム部が上方に移動することにより、前記天蓋を開く方向に移動させるようにした、ほぼ上下方向を向く連結リンクとを備える。
【０００７】
(２)上記(１)項において、昇降台の後部に、連結リンクの前縁に摺接することにより、回動リンクの上側アーム部の下向き回動を阻止する押さえ部を設ける。
【０００８】
(３)上記(１)または(２)項において、回動リンクに、昇降台の格納位置への下降時に、昇降台の後部下面に当接して、前記回動リンクを下向き回動させるようにした下側アーム部を設ける。
【０００９】
(４)上記(１)〜(３)項のいずれかにおいて、昇降台の押さえ部に、耐摩耗性に優れ、かつ摺動抵抗の小さい保護材を設ける。
【００１０】
【発明の実施の形態】
以下、本発明の一実施形態を備える机(１)について、図面を参照しながら説明する。
なお、以下の説明では、図１の左下側を「前方」、右上側を「後方」とする。
【００１１】
左右の側板(２)の上部には、天板(３)の両側が載置され、天板(３)の後部中央には、所望の大きさの平面視矩形の開口部(４)が設けられている。左右の側板(２)の後縁に架設された後面板(５)の上部には、開口部(４)を開閉する天蓋(６)が、左右方向のヒンジ軸(7a)を有する左右１対のヒンジ(７)により、開閉可能に枢着されている。
【００１２】
天蓋(６)は、図３に示すように、開口部(４)を閉塞して天板(３)の表面と整合する閉塞位置と、図１及び図２に示すように、起立して開口部(４)を開放した開放位置とに回動可能で、ヒンジ(７)のヒンジ軸(7a)から所定量前方に離間したところの下面には、左右１対のアーム部(6a)が突設されている。
【００１３】
天板(３)の下方には、モータ等を駆動源とし、モータの回転を上下運動に変換する昇降手段(８)が設けられ、この昇降手段(８)には、左右１対の上下方向を向く案内レール(図示略)により昇降可能に支持された昇降台(９)が連結されている。なお、昇降手段(８)は、モータの回転を上下運動に変換する機構として、ネジ棒とナット等を用いた公知の技術のものであり、図１にのみ概略を示して、他の図面においては省略している。
【００１４】
昇降台(９)は、パソコンのディスプレイ等の機器(Ａ)が設置されるもので、昇降手段(８)により、図３に示すように、天板(３)の下方に格納された格納位置と、図１及び図２に示すように、天板(３)の表面と整合するように、開口部(４)に内嵌した上昇位置とに昇降しうるようになっている。
【００１５】
昇降台(９)の後端部に形成された押さえ部(9a)には、左右１対の保護材(10)が取り付けられている。保護材(10)は、側面視ほぼコ字型をなして、耐摩耗性に優れ、かつ摺動抵抗の小さい金属製の板材によって形成されている。
【００１６】
(11)は、後面板(５)の下部の左右に設けられたブラケット(図示略)に左右方向の軸(12)により枢着された左右１対の回動リンクで、保護材(10)を介して昇降台(９)の後部上面に当接可能で、かつ前方に所定量延出した上側アーム部(11a)と、昇降台(９)の後部下面に当接可能で、かつ下方に所定量延出した下側アーム部(11b)とを有して、側面視ほぼＬ字型をなしている。なお、回動リンク(11)は、必要に応じて昇降手段(８)に設けたブラケット(図示略)に枢着することも可能である。
【００１７】
昇降台(９)が格納位置から上昇するとき、上側アーム部(11a)は、保護材(10)の上片(10a)を介して昇降台(９)の押さえ部(9a)の上面に押動されることにより、上向きに回動させられる。また、下側アーム部(11b)は、図７に示すように、押さえ部(9a)の下面に当接することにより、下向きに回動させられ、回動リンク(９)の所定角度以上の上向き回動を規制している。
【００１８】
回動リンク(11)の上側アーム部(11a)の先端部と天蓋(６)のアーム部(6a)の先端部とは、上下方向を向く連結リンク(13)によって連結され、天蓋(６)と回動リンク(11)と連結リンク(13)と後板(５)により、４節リンク機構が形成されている。連結リンク(13)の下端部と上側ア−ム部(11a)とは、左右方向の軸(14)によって回動可能に連結され、また、連結リンク(13)の上端部と天蓋(６)のアーム部(6a)とは、左右方向の軸(15)によって回動可能に連結されている。
【００１９】
昇降台(９)の昇降に連動して、回動リンク(11)は、時計方向または反時計方向に回動することにより、天蓋(６)を連結リンク(13)を介して開閉させるようになっている。
【００２０】
連結リンク(13)は、天蓋(６)が閉塞位置にあるとき、下端部が上端部より前方に位置するように傾き、また、天蓋(６)が開放位置にあるときは、ほぼ垂直方向を向くようになっている。すなわち、回動リンク(11)が時計方向に回動することにより、連結リンク(13)は、下端部が後方に移動しつつ上方に移動する。
【００２１】
昇降台(９)の押さえ部(9a)は、保護材(10)を介して連結リンク(13)の前縁(13a)に当接して摺動することにより、連結リンク(13)をほぼ垂直状態に保持するとともに、回動リンク(11)の反時計方向、すなわち上側アーム部(11a)の下向き回動を移動を阻止し、天蓋(６)を開放位置に保持する。
【００２２】
次に、本発明の一実施形態の作動について説明する。
図３は、昇降台(９)が格納位置にある状態を示す。この状態においては、昇降台(９)に設置されたパソコンのディスプレイ等の機器(Ａ)は、天板(３)の下方に格納され、開口部(４)は、天蓋(６)により閉塞されて、天板(３)と天蓋(６)とは、平坦になって、それらの上面全体を作業スペースとして使用することができる。
【００２３】
昇降台(９)を格納位置から昇降手段(８)により上昇させると、上側アーム部(11a)が昇降台(９)の後部上面により押し上げられることにより、回動リンク(11)は、図４に示すように上向き回動させられ、連結リンク(13)は、下端部が後方に移動しつつ上方に移動して、天蓋(６)を押し上げる。
【００２４】
昇降台(９)の上昇に伴って、回動リンク(11)の上側アーム部(11a)が昇降台(９)の後部上面から外れると、図５に示すように、昇降台(９)の押さえ部(9a)が、保護材(10)を介して垂直方向を向いた連結リンク(13)の前縁(13a)に当接し、かつ前縁(13a)に沿って摺動しつつ天蓋(６)を開放位置に保持する。図１及び図２に示すように、昇降台(９)が上昇位置に移動して、開口部(４)に内嵌すると、昇降台(９)と天板(２)の表面とが平坦になるとともに、機器(Ａ)は、開口部(４)から天板(３)上に出現する。
【００２５】
この状態にあっては、従来のように押上げ部材等の部品が天板(３)上に露呈しないので、露呈部品にコード等を引っ掛けることはない。また、突起感が無く見栄えが良い。
【００２６】
昇降台(９)を上昇位置から昇降手段(８)により下降させると、機器(Ａ)は、天板(３)の下方に格納される。昇降台(９)が下降するときは、保護材(10)を介して押さえ部(9a)が昇降リンク(13)の前縁(13a)に沿って下方に向けて摺動する。図６に示すように、昇降台(９)の後部下面が下側アーム部(11b)に当接すると、回動リンク(11)は、下向きに回動させられ、連結リンク(13)を介して天蓋(６)を強制的に閉塞位置に回動させる。
【００２７】
図７に示すように、昇降台(９)が格納位置にあるときは、下側アーム部(11b)が昇降台(９)の後端下縁に当接して、回動リンク(11)の上向き回動が規制されているので、天蓋(６)を外部から開放させることができない。したがって、機器(Ａ)の盗難を防止することができる。
【００２８】
【発明の効果】
本発明によれば、次のような効果を奏することができる。
(ａ)請求項１記載の発明によると、昇降台が上昇位置にあるときは、従来のように押上げ部材等の部品が天板上に露呈しないので、露呈した部品等が損傷を受けることがなく、また、見栄えがよい。また、昇降台上の機器類の設置スペースを広くすることができる。
【００２９】
さらに、天板が開くとき、天板と他部品とが擦れることがないので、塗装面を傷付けることがない。
【００３０】
(ｂ)請求項２記載の発明によると、昇降台が上昇位置にあるとき、天蓋の閉じる方向への移動が阻止されるので、機器類の使用中に天蓋が誤って閉じるような誤作動を防止できる。
【００３１】
(ｃ)請求項３記載の発明によると、昇降台の下降時に、回動リンク及び連結リンクを介して、天蓋が強制的に閉じられるので、天蓋を閉じ忘れるおそれがない。
【００３２】
さらに、昇降台の格納時において、下側アーム部が昇降台に当接して、回動リンクの上向き回動を規制するので、外部から天蓋が開かれることがない。したがって、格納した機器の盗難を防止することができる。
【００３３】
(ｄ)請求項４記載の発明によると、円滑な作動を得ることができ、耐久性の向上を図ることができる。
【図面の簡単な説明】
【図１】本発明の一実施形態を備える机の斜視図である。
【図２】同じく図１のII−II線縦断面図である。
【図３】同じく機器が格納されているときの、図２と同様の縦断面図である。
【図４】同じく昇降台が格納位置から上昇し始めた直後の要部の作動説明側面図である。
【図５】同じく昇降台が格納位置と上昇位置との間にあるときの要部の作動説明側面図である。
【図６】同じく昇降台が格納位置に達する直前の要部の作動説明側面図である。
【図７】同じく天蓋を外部から開けようとしたときの要部の作動説明側面図である。
【図８】従来の機器格納式机の縦断側面図である。
【符号の説明】
(１)机
(２)側板
(３)天板
(４)開口部
(５)後面板
(６)天蓋
(6a)アーム部
(７)ヒンジ
(7a)ヒンジ軸
(８)昇降手段
(９)昇降台
(9a)押さえ部
(10)保護材
(11)回動リンク
(11a)上側アーム部
(11b)下側アーム部
(12)軸
(13)連結リンク
(13a)前縁
(14)軸
(15)軸
(Ａ)機器
【図１】
0004308998.tif 000002
【図２】
0004308998.tif 000003
【図３】
0004308998.tif 000004
【図４】
0004308998.tif 000005
【図５】
0004308998.tif 000006
【図６】
0004308998.tif 000007
【図７】
0004308998.tif 000008
【図８】
0004308998.tif 000009